(57)【要約】　　　（修正有）【課題】小型サイズのコンロとして卓上型に適し、また、バーナ部と五徳との位置ずれが生じることがなく、燃焼ロスを生じることがなく、さらには、省スペースに収納保管することができる卓上用バーナ・ガスボンベ一体型ミニコンロを提供する。【解決手段】ガスボンベ上にバーナ本体部が一体的に装着されてバーナ・ガスボンベ体とされ、五徳は鍋載置用リング部と柱状部と上下スライド移動自在でバーナ・ガスボンベ体が載置される移動床リング部とから成る。コンロ使用のためにバーナ・ガスボンベ体を移動床リング部上に載置したとき、移動床リング部はバーナ・ガスボンベ体を五徳の略中央に位置決めしうる構成とされ、コンロ不使用時に複数個の五徳を上下に積み重ねたとき、移動床リング部が移動して省スペースに積層可能となる。【選択図】　　図２
0003098588.tif 000002
【実用新案登録請求の範囲】
【請求項１】
小型ガスボンベと、そのガスボンベから供給されたガスと周囲の空気とを混合させて燃焼させるバーナを有したバーナ本体部と、このバーナ本体部のバーナでの燃焼炎を受けうるように鍋等を載置するための五徳とを備えた卓上用ガスコンロであって、
前記ガスボンベとバーナ本体部とは、ガスボンベ上にバーナ本体部が一体的に装着されてバーナ・ガスボンベ体とされ、
前記五徳は、金属線状部材から成る鍋載置用リング部と、そのリング部から下方に伸び下端部に脚部が形成され互いに適宜の間隔で配置された複数本の柱状部と、この柱状部に係合案内され上下スライド移動自在で前記バーナ・ガスボンベ体が載置される移動床リング部とから成り、
前記五徳の柱状部は、前記移動床リング部上に前記バーナ・ガスボンベ体を載置してバーナを燃焼させたとき、前記鍋載置用リング部上に載置した鍋底が燃焼炎に曝されるに適した高さ寸法とされ、かつ、隣り合う柱状部は前記バーナ・ガスボンベ体を横方向から五徳の内側空間に挿入可能な間隔とされ、
コンロ使用のために前記バーナ・ガスボンベ体を前記移動床リング部上に載置したとき、該移動床リング部はバーナ・ガスボンベ体を五徳の略中央に位置決めしうる構成とされ、
コンロ不使用時に前記複数個の五徳を上下に積み重ねたとき、前記移動床リング部が鍋載置用リング部の近くまでスライド移動して上下の五徳同士が接近して省スペースに積層可能となることを特徴とした卓上用バーナ・ガスボンベ一体型コンロ。
【請求項２】
前記小型ガスボンベ内にスポンジ状多孔部材が内蔵されている請求項１記載の卓上用バーナ・ガスボンベ一体型ミニコンロ。
【考案の詳細な説明】
【０００１】
【考案の属する技術分野】
本考案は、卓上用バーナ・ガスボンベ一体型ミニコンロに関するものである。
【０００２】
【従来の技術】
従来から、卓上用ガスコンロは、種々の構造のものが知られているが、ガスボンベとバーナ部とが別体のタイプは、嵩張り載置スペースも広くなり、卓上用には不向きである。そこで、卓上又は携帯に適するように、バーナ部とガスボンベとを一体にし、ガスボンベ自体をコンロ台本体として省スペースとしたタイプが提案されている（特許文献１，２参照）。
【０００３】
【特許文献１】特開平８−１４５３７０号公報
【特許文献２】特開平１０−１４８３３６号公報
【０００４】
【考案が解決しようとする課題】
ところが、この特許文献１に示されるバーナ・ガスボンベ一体型コンロは、バーナ部と一体的に鍋載置用の五徳が形成される構造であり、ガスボンベ自体が五徳を立脚支持していることから、ガスボンベ自体の床面積を余りに小さくすると、不安定となる。このため、小型（ミニ）サイズのコンロを実現するには限界がある。なお、五徳杆を揃えて全体をコンパクトに収納可能とすることが示されているが、上記理由により、それ程のコンパクト化はできない。
【０００５】
また、特許文献２に示されるバーナ・ガスボンベ一体型コンロは、五徳自体もコンロと一体的に構成されていて、上記と同様、小型（ミニ）サイズのコンロを実現するには限界がある。また、不使用時の収納時に、全体形状がコンパクトにならずに、スペースをとり、収納保管に不向きであった。いずれにしても、従来では、五徳とは別体にガスボンベとバーナ部とが一体化されたタイプが存在したとしても、五徳とガスボンベ一体のバーナ部との位置ずれが生じ、熱利用が落ちることがあり、また、コンロ不使用時に五徳の収納スペースが嵩張るといった問題があった。
【０００６】
本考案は、上記問題を解消するものであり、小型（ミニ）サイズのコンロを容易に実現することができ、卓上型に適し、また、バーナ部と五徳との位置ずれが生じることがなく、燃焼ロスを生じることがなく、さらには、省スペースに収納保管することができる卓上用バーナ・ガスボンベ一体型ミニコンロを提供することを目的とする。
【０００７】
【課題を解決するための手段及び考案の効果】
上記目的を達成するために本考案は、小型ガスボンベと、そのガスボンベから供給されたガスと周囲の空気とを混合させて燃焼させるバーナを有したバーナ本体部と、このバーナ本体部のバーナでの燃焼炎を受けうるように鍋等を載置するための五徳とを備えた卓上用ガスコンロであって、前記ガスボンベとバーナ本体部とは、ガスボンベ上にバーナ本体部が一体的に装着されてバーナ・ガスボンベ体とされ、前記五徳は、金属線状部材から成る鍋載置用リング部と、そのリング部から下方に伸び下端部に脚部が形成された互いに適宜の間隔で配置された複数本の柱状部と、この柱状部に係合案内され上下スライド移動自在で前記バーナ・ガスボンベ体が載置される移動床リング部とから成り、前記五徳の柱状部は、前記移動床リング部上に前記バーナ・ガスボンベ体を載置してバーナを燃焼させたとき、前記鍋載置用リング部上に載置した鍋底が燃焼炎に曝されるに適した高さ寸法とされ、かつ、隣り合う柱状部は前記バーナ・ガスボンベ体を横方向から五徳の内側空間に挿入可能な間隔とされ、コンロ使用のために前記バーナ・ガスボンベ体を前記移動床リング部上に載置したとき、該移動床リング部はバーナ・ガスボンベ体を五徳の略中央に位置決めしうる構成とされ、コンロ不使用時に前記複数個の五徳を上下に積み重ねたとき、前記移動床リング部が鍋載置用リング部の近くまでスライド移動して上下の五徳同士が接近して省スペースに積層可能となるものである。
【０００８】
本考案によれば、バーナ・ガスボンベ体自体で鍋載置の五徳を立脚支持するものではないので、バーナ・ガスボンベ体は床面積を極めて小さくして、五徳は安定して鍋を載置支持できる大きさとすればよいので、バーナ・ガスボンベ体自体の大幅な小型化を図ることが可能で、卓上に好適なコンロが得られる。
【０００９】
また、コンロ使用のためにバーナ・ガスボンベ体を移動床リング部上に載置したとき、バーナ・ガスボンベ体は移動床リング部により五徳の略中央に位置決めされるので、鍋とバーナとの相対位置ずれが生じることがなくなり、しかも鍋に対するバーナの高さ位置も適した状態となるので、燃焼エネルギを鍋加熱に常に有効利用できる。
【００１０】
また、コンロ不使用時に複数個の五徳を上下に積み重ねたとき、移動床リング部が鍋載置用リング部近くまでスライド移動して上下の五徳同士が接近して省スペースに積層でき、省スペースに収納できる。
【００１１】
また、前記小型ガスボンベ内にスポンジ状多孔部材が内蔵されているものが望ましい。これにより、バーナ・ガスボンベ体が傾いてもガスボンベ内の液体ガスが液のまま外部に流出することがなくなる。
【００１２】
【考案の実施の形態】
以下、本考案の実施形態について図面を参照して説明する。図１乃至図３に示されるように、本実施形態による卓上用バーナ・ガスボンベ一体型ミニコンロ（ミニコンロという）は、バーナ・ガスボンベ体１と、バーナでの燃焼炎を受けうるように鍋等を載置するための五徳７とを備えている。バーナ・ガスボンベ体１は、バーナ３を有したバーナ本体部２と、このバーナ本体部２にガスを供給するガスボンベ４とから成り、バーナ本体部２はガスボンベ４の上に一体的に装着されている。バーナ３はバーナ本体部２の上部に連設されている。バーナ本体部２は、点火用の火花放電部６を備え、これにより、バーナ３のノズルから噴出されるガスと周囲の空気との混合ガスに点火する。
【００１３】
バーナ本体部２は、ガス流量調節用ブロック２１と、空気混合用ブロック２２と、調整操作部２３と、ガス流量調節のためのニードル弁２５の駆動ロッド２４と、火花放電発生部２７とを備えている。上記ブロック２１にはガス通路２６が設けられ、ガスボンベ４に連通し、このガス通路２６途中にニードル弁２５が配置されている。上記ブロック２２には、連結用筒体２２ａと、その内部に充填されたフィルタ（ガス拡散用詰め物）２２ｂと、空気孔２２ｃとが設けられている。このブロック２２の上端に、バーナ３のノズル体３ａを保持する保持体３ｂが螺着され、ブロック２２の上端開口はノズル体３ａ内に開口している。ノズル体３ａは、周囲斜め面にノズルを有し、金網が内張りされている。
【００１４】
調整操作部２３は、カバー２３ａと、回転及び押し動作が可能な操作摘み２３ｂと、スプリングバネ２３ｃとから成る。操作摘み２３ｂでもって、駆動ロッド２４を回転させることで、ニードル弁２５の開閉と開口量を調整し、また、火花放電発生部２７をスプリングバネ２３ｃに抗して押圧することで、点火動作を行うことができる。バーナ本体部２の外周囲には本体カバー５が被せられている。小型ガスボンベ４には、スポンジ状多孔部材４１が内蔵され、底面に配したガス充填注入口４２から液体ガスを充填可能とされている。
【００１５】
五徳７は、図３に示されるように、金属線状（棒又は筒）部材から成る鍋載置用リング部７１と、そのリング部７１から下方に伸び下端部に脚部７２ａが形成され互いに適宜の間隔で配置された複数本（本例では４本）の柱状部７２と、この柱状部７２に係合案内され上下スライド移動自在でバーナ・ガスボンベ体１が載置される移動床リング部７３とから成る。鍋載置用リング部７１は内周及び外周のリングから成り、その上には、煮込みの食材が入れられた鍋Ｎが載置される。柱状部７２は、リング部７１の載置面に対してほぼ垂直に配置される。内外のリング部７１と柱状部７２とは、交点部が溶接により接合されている。移動床リング部７３は、その下面放射状に各柱状部７２に対応して柱状部７２と係合する係合部７３ａを有し、この係合部７３ａによりスライド移動自在とされている。脚部７２ａはテーブルＴの上に置かれてもよいが、煮こぼれを受けるには、図示しない受け皿上に置くことが望ましい。
【００１６】
五徳７の柱状部７２は、移動床リング部７３上にバーナ・ガスボンベ体１を載置してバーナを燃焼動作させたとき、鍋載置用リング部７１上に載置した鍋底が燃焼炎に曝されるに適した高さ寸法とされる。また、隣り合う柱状部７２はバーナ・ガスボンベ体１を横方向から五徳７の内側空間に挿入可能な高さ、間隔とされている。さらには、コンロ使用のためにバーナ・ガスボンベ体１を移動床リング部７３上に載置したとき、移動床リング部７３はバーナ・ガスボンベ体１を五徳７の略中央に位置決めしうる構成とされている。本例では、移動床リング部７３は環状形で、その内径内にバーナ・ガスボンベ体１のガスボンベ４の底面周縁部が嵌まり込む。このとき、移動床リング部７３の係合部７３ａの中心側に伸びた辺がガスボンベ４の底面を保持する。
【００１７】
五徳７の移動床リング部７３が上下スライド移動しうる様子を図４に示している。五徳７がこのような構成を有するので、図５に示されるように、コンロ不使用時には、複数個の五徳７，７’を上下に積み重ねることができる（ここでは、一方の五徳７’を破線で示している）。このとき、移動床リング部７３が自身の鍋載置用リング部７１の近くまでスライド移動して、上下の五徳７，７’同士が接近した状態に積み重ねられる。これにより、省スペースに積層可能となり、コンパクトに収納することができる。
【００１８】
以上のような実施形態によるミニコンロによれば、従来例のように、バーナ・ガスボンベ体自体で鍋載置の五徳を立脚支持するものではないので、バーナ・ガスボンベ体１は床面積を極めて小さくし、五徳７は安定して鍋を載置支持できる大きさとすればよいので、バーナ・ガスボンベ体１自体を大幅に小型化しても何ら支障がない。このため、卓上に好適なミニコンロが得られる。
【００１９】
また、コンロ使用のためにバーナ・ガスボンベ体１を移動床リング部７３上に載置したとき、バーナ・ガスボンベ体１は移動床リング部７３により五徳７の略中央に位置決めされるので、鍋とバーナとの相対位置がずれることがなく、しかも鍋に対するバーナの高さ位置も適した状態となるので、鍋の加熱調理に燃焼エネルギを常時有効に利用することができる。
【００２０】
なお、上記実施例では、バーナ・ガスボンベ体１のガスボンベ４の平面形状と、五徳７の鍋載置用リング部７１及び移動床リング部７３の平面形状として、リング状のものを示したが、多角形状のものであっても構わない。
【図面の簡単な説明】
【図１】本考案の一実施形態による卓上用バーナ・ガスボンベ一体型ミニコンロのバーナ・ガスボンベ体の断面図。
【図２】同ミニコンロの一部破断斜視図。
【図３】（ａ）は同ミニコンロの五徳の平面図、（ｂ）は（ａ）のＡ−Ａ線断面図、（ｃ）は（ｂ）のＢ−Ｂ線断面図。
【図４】（ａ）（ｂ）は同ミニコンロの五徳の移動床リング部が移動する様子を示す側面図。
【図５】（ａ）は同ミニコンロの積み重ねた状態における五徳の平面図、（ｂ）は同ミニコンロの積み重ねた状態における五徳の側面図。
【符号の説明】
１　バーナ・ガスボンベ体
２　バーナ本体部
３　バーナ
４　ガスボンベ
４１　スポンジ状多孔部材
７，７’五徳
７１　鍋載置用リング部
７２　柱状部
７３　移動床リング部
７３ａ　係合部
【図１】
0003098588.tif 000003
【図２】
0003098588.tif 000004
【図３】
0003098588.tif 000005
【図４】
0003098588.tif 000006
【図５】
0003098588.tif 000007